(57)【要約】      （修正有）【課題】収容物が抜け落ちることを抑制するエンディングノート用ファイルを提供する。【解決手段】使用者が周囲の人に伝えたい情報を保管しておくために使用するエンディングノート用ファイル１は、情報が記録された記録媒体を収容する収容袋２０と、収容袋を覆う表紙部１０と、を有してなる。表紙部は、収容袋が取り付けられる背表紙部１１と、背表紙部の短手方向の一端側に取り付けられる第１表紙部１２と、背表紙部の短手方向の他端側に取り付けられる第２表紙部１３と、を備える。収容袋は、記録媒体が挿抜される挿抜口２１を備える。挿抜口は、収容袋の背表紙部側に配置される。【選択図】図４
0003230628.tif 000002
【実用新案登録請求の範囲】
【請求項１】
使用者が周囲の人に伝えたい情報を保管しておくために使用するエンディングノート用ファイルであって、
前記情報が記録された記録媒体を収容する収容袋と、
前記収容袋を覆う表紙部と、
を有してなり、
前記表紙部は、
前記収容袋が取り付けられる背表紙部と、
前記背表紙部の短手方向の一端側に取り付けられる第１表紙部と、
前記背表紙部の短手方向の他端側に取り付けられる第２表紙部と、
を備え、
前記収容袋は、前記記録媒体が挿抜される挿抜口、
を備え、
前記挿抜口は、前記収容袋の前記背表紙部側に配置される、
ことを特徴とするエンディングノート用ファイル。
【請求項２】
前記収容袋は、
第１収容袋、
を含み、
前記第１収容袋は、
前記背表紙部に取り付けられる基部シートと、
前記基部シートの前記第１表紙部側の面の全部または一部を覆う第１被覆シートと、
で構成される、
請求項１記載のエンディングノート用ファイル。
【請求項３】
前記収容袋は、
第２収容袋、
を含み、
前記第２収容袋は、
前記基部シートと、
前記基部シートの前記第２表紙部側の面の全部または一部を覆う第２被覆シートと、
で構成される、
請求項２記載のエンディングノート用ファイル。
【請求項４】
前記第１被覆シートは、前記第２被覆シートと共に袋体を構成し、
前記基部シートは、前記袋体の内部に配置される、
請求項３記載のエンディングノート用ファイル。
【請求項５】
前記挿抜口は、
第１挿抜口、
を含み、
前記第１収容袋は、
前記第１挿抜口、
を備え、
前記第１挿抜口は、前記基部シートと、前記第１被覆シートと、の隙間で構成される、
請求項４記載のエンディングノート用ファイル。
【請求項６】
前記挿抜口は、
第２挿抜口、
を含み、
前記第２収容袋は、
前記第２挿抜口、
を備え、
前記第２挿抜口は、前記基部シートと、前記第２被覆シートと、の隙間で構成される、
請求項５記載のエンディングノート用ファイル。
【請求項７】
前記基部シートの形状は、矩形で、
前記第１被覆シートの形状は、矩形で、
前記背表紙部の長手方向と直交する方向における、前記基部シートの長さは、前記第１被覆シートの長さよりも長い、
請求項５記載のエンディングノート用ファイル。
【請求項８】
前記収容袋は、前記挿抜口における前記記録媒体の挿抜を容易にする挿抜容易部、
を備える、
請求項２または３記載のエンディングノート用ファイル。
【請求項９】
前記挿抜容易部は、前記収容袋に収容された記録媒体の一部を、前記収容袋の外部に露出させる、
請求項８記載のエンディングノート用ファイル。
【請求項１０】
前記挿抜容易部は、前記基部シートに対向して配置される前記第１被覆シートの一部を、前記基部シートから離反させる、
請求項８記載のエンディングノート用ファイル。
【請求項１１】
前記収容袋は、
特別収容袋、
を含み、
前記特別収容袋は、
前記記録媒体が挿抜される特別挿抜口と、
前記特別収容袋に収容された前記記録媒体が前記特別挿抜口から抜け落ちるのを規制する抜落規制部と、
を備え、
前記特別挿抜口は、前記特別収容袋の前記背表紙部側とは別の位置に配置される、
請求項１記載のエンディングノート用ファイル。
【請求項１２】
前記特別収容袋の形状は、矩形で、
前記特別収容袋の一辺が前記背表紙部側に配置され、
前記特別挿抜口は、前記一辺に対向する前記特別収容袋の他辺側に配置される、
請求項１１記載のエンディングノート用ファイル。
【請求項１３】
前記特別収容袋の形状は、矩形で、
前記特別収容袋の一辺が前記背表紙部側に配置され、
前記特別挿抜口は、前記一辺に連接する前記特別収容袋の他辺側に配置される、
請求項１１記載のエンディングノート用ファイル。
【請求項１４】
前記抜落規制部は、レールファスナー、面ファスナー、または、蓋部のいずれかである、
請求項１２または１３記載のエンディングノート用ファイル。
【請求項１５】
前記収容袋は、前記記録媒体に対応する識別標識を備える、
請求項１記載のエンディングノート用ファイル。
【考案の詳細な説明】
【技術分野】
【０００１】
本考案は、エンディングノート用ファイルに関する。
【背景技術】
【０００２】
自身が病気（例えば、認知症、高次脳障害など）で判断ができない状態になった後、あるいは、死亡後に周囲の人に伝えたい情報を保管しておくためにエンディングノートが使用される。エンディングノートは、例えば、自身の死亡後に遺族が困らないように、生前に自身（本人）が予め準備をする。エンディングノートには、自身の人生の終活や自身の交友関係、自身の健康状態、自身の財産などの自身の情報が保管される。
【０００３】
これらの情報は、エンディングノートの使用者（以下「使用者」という。）により、エンディングノートに綴じられた紙などに記載（記入）されて保管される。使用者が自身の情報を記載することにより、エンディングノートが完成する。
【０００４】
使用者の生前にエンディングノートが作成されるため、使用者は、エンディングノートの完成後であっても、自身の状況や心情により、一部の情報を書き換えたい場合や削除したい場合がある。しかし、従来のエンディングノートは、使用者が綴じられた紙に記載するため、一部の情報の差し替えができない。すなわち、一部の情報を書き換えたい場合や削除したい場合、使用者は、新たにエンディングノートを作成するか、該当箇所を修正して書き直しをするか、などしなければならない。
【０００５】
このような問題を解決するために、リフィルタイプのエンディングノート用ファイル（エンディングノート用バインダー）が提案されている（例えば、特許文献１参照）。
【先行技術文献】
【特許文献】
【０００６】
【特許文献１】実用新案登録第３２０６７０５号公報
【０００７】
特許文献１に開示されたエンディングノート用ファイルは、表表紙部と、裏表紙部と、表表紙部と裏表紙部との接続部分である背表紙部と、背表紙部に配置された複数のリングと、を備える。複数のリングは、リフィルが着脱自在に取り付けられる。自身の情報が書き込まれたリフィルがリングに取り付けられてエンディングノート用ファイルに綴じられることで、エンディングノートは完成する。特許文献１に開示されたエンディングノート用ファイルは、部分的に情報の書き換えをしたい場合に、リフィルを自由に着脱できるので、情報の差し替えができる。
【０００８】
また、特許文献１に開示されたエンディングノート用ファイルは、表表紙部の内側に形成されたポケット部と、裏表紙部の内側に形成されたポケット部と、備える。
【０００９】
ポケット部には、例えば、預金通帳のコピー、金融機関のカードのコピー、病院の診察券のコピー等（以下「収容物」という。）が収容される。ポケット部は、背表紙部側とは異なる側の辺、すなわち、エンディングノート用ファイルの外周側の辺に、収容物を挿入するための開口（挿抜口）を備える。つまり、収容物は、外周側の開口から挿入される。
【００１０】
しかし、ポケット部に収容された収容物は、開口部が横向きや下向きの方向に向けられると、収容物がポケット部の開口部から抜け落ちやすい。
【考案の概要】
【考案が解決しようとする課題】
【００１１】
本考案は、収容物が抜け落ちることを抑制することを目的とする。
【課題を解決するための手段】
【００１２】
本考案に係るエンディングノート用ファイルは、使用者が周囲の人に伝えたい情報を保管しておくために使用するエンディングノート用ファイルであって、情報が記録された記録媒体を収容する収容袋と、収容袋を覆う表紙部と、を有してなり、表紙部は、収容袋が取り付けられる背表紙部と、背表紙部の短手方向の一端側に取り付けられる第１表紙部と、背表紙部の短手方向の他端側に取り付けられる第２表紙部と、を備え、収容袋は、記録媒体が挿抜される挿抜口、を備え、挿抜口は、収容袋の背表紙部側に配置される、ことを特徴とする。
【考案の効果】
【００１３】
本考案によれば、収容物が抜け落ちることを抑制できる。
【図面の簡単な説明】
【００１４】
【図１】本考案に係るエンディングノート用ファイルの実施の形態を模式的に示す正面斜視図である。
【図２】図１のエンディングノート用ファイルを模式的に示す背面斜視図である。
【図３】図１のエンディングノート用ファイルを開いた状態を模式的に示す背面平面図である。
【図４】図１のエンディングノート用ファイルを開いた状態を模式的に示す正面平面図である。
【図５】図１のエンディングノート用ファイルが備える収容袋の構成を模式的に示す平面図である。
【図６】図１のエンディングノート用ファイルが備える収容袋の他の構成を模式的に示す平面図である。
【図７】図１のエンディングノート用ファイルの使用例を模式的に示す平面図である。
【図８】図１のエンディングノート用ファイルの使用例を模式的に示す平面図である。
【図９】図５の収容袋が備える挿抜容易部の例を模式的に示す平面図である。
【図１０】図５の収容袋が備える挿抜容易部の他の例を模式的に示す平面図である。
【図１１】図５の収容袋が備える特別収容袋の例を模式的に示す平面図である。
【図１２】図５の収容袋が備える特別収容袋の他の例を模式的に示す平面図である。
【考案を実施するための形態】
【００１５】
本考案に係るエンディングノート用ファイル（以下「本ファイル」という。）は、以下の実施の形態と図面とにより説明される。
【００１６】
●エンディングノート用ファイル●
●エンディングノート用ファイルの構成
図１は、本ファイルの実施の形態を模式的に示す模式正面斜視図である。
図２は、本ファイルの実施の形態を模式的に示す模式背面斜視図である。
【００１７】
本ファイル１は、本ファイル１の使用者（以下「使用者」という。）がもしものとき（例えば、病気にかかったときや死亡したとき）に、周囲の人に対して使用者の情報や使用者の要望を伝達するために記録しておくために使用される。換言すれば、使用者は、自身が病気（例えば、認知症、高次脳障害など）で判断ができない状態になった後、あるいは、死亡後に周囲の人に伝えたい情報を保管しておくために本ファイル１を使用する。
【００１８】
「周囲の人」は、例えば、使用者の家族や親戚などである。
【００１９】
「使用者の情報」は、例えば、使用者のひととなりや交友関係、健康状態、財産に関する情報などである。
【００２０】
「使用者の要望」は、例えば、連絡をして欲しい人の情報、代理人や後見人などの情報、介護・葬儀・墓などに関する情報、遺言などである。
【００２１】
本ファイル１は、表紙部１０と収容袋２０とを有してなる。
【００２２】
表紙部１０は、収容袋２０を覆う、本ファイル１の表紙である。表紙部１０は、例えば、プラスチックなどの合成樹脂製である。表紙部１０は、背表紙部１１と、第１表紙部１２と、第２表紙部１３と、を備える。背表紙部１１は、第１表紙部１２と第２表紙部１３と一体である。
【００２３】
図３は、本ファイル１を開いた状態を模式的に示す背面平面図である。
同図は、本ファイル１を開いた状態を背面から見た模式平面図である。
【００２４】
背表紙部１１は、第１表紙部１２と第２表紙部１３とを連結する。背表紙部１１には、収容袋２０（図１参照）が取り付けられる。背表紙部１１は、短手方向（図３における左右方向）の辺（以下「背表紙部１１の短辺」という。）と、長手方向（図３における上下方向）の辺（以下「背表紙部１１の長辺」という。）と、を備える矩形状である。背表紙部１１のそれぞれの長辺に第１表紙部１２と第２表紙部１３とが連結される。
【００２５】
第１表紙部１２は、背表紙部１１の短手方向の一端側（図３における紙面右側）における、背表紙部１１の長辺に連結される（取り付けられる）。第１表紙部１２は、短手方向（図３における左右方向）の辺（以下「第１表紙部１２の短辺」という。）と、長手方向（図３における上下方向）の辺（以下「第１表紙部１２の長辺」という。）と、を備える矩形状である。
【００２６】
第１表紙部１２は、表表紙あるいは裏表紙である。すなわち、例えば、本ファイル１が左開きの場合、第１表紙部１２は表表紙である。本ファイル１が右開きの場合、第１表紙部１２は裏表紙である。第１表紙部１２は、第１表紙被覆部１２１を備える。
【００２７】
第１表紙被覆部１２１は、第１表紙部１２の表面の一部を覆う。「第１表紙部１２の表面」は、本ファイル１を閉じたときに外側になる面である。第１表紙被覆部１２１は、短手方向（図３における左右方向）の辺（以下「第１表紙被覆部１２１の短辺」という。）と、長手方向（図３における上下方向）の辺（以下「第１表紙被覆部１２１の長辺」という。）と、を備える矩形状である。第１表紙被覆部１２１の短辺の長さは、第１表紙部１２の短辺の長さよりも短い。なお、本考案における第１表紙被覆部は、第１表紙部の表面の全部を覆ってもよい。
【００２８】
第１表紙被覆部１２１の短辺は、第１表紙部１２の短辺に固定される。第１表紙被覆部１２１の長辺のうち右側の長辺（背表紙部１１側とは反対側の長辺）は、第１表紙部１２の長辺のうち右側の長辺（背表紙部１１側とは反対側の長辺）に固定される。第１表紙被覆部１２１の長辺のうち左側の長辺（背表紙部１１側の長辺）は、第１表紙部１２の表面に非固定である。
【００２９】
第１表紙被覆部１２１は、第１表紙部１２の表面と共に、第１表紙挿抜口１２２を構成する。換言すれば、第１表紙部１２は、第１表紙挿抜口１２２を備える。
【００３０】
第１表紙挿抜口１２２は、第１表紙部１２の表面と、第１表紙被覆部１２１と、の隙間である。第１表紙挿抜口１２２を介して、本ファイル１の外装を構成するシート（不図示）や、緊急時に持ち出せるポーチ（不図示）などが、第１表紙部１２の表面と第１表紙被覆部１２１との間に挿入または抜き出される。シートやポーチなどは、第１表紙被覆部１２１の長辺のうち左側の長辺、すなわち、第１表紙部１２に対して非固定の辺側から第１表紙挿抜口１２２を介して挿抜される。
【００３１】
第２表紙部１３は、背表紙部１１の短手方向の他端側（図３における紙面左側）における、背表紙部１１の長辺に連結される（取り付けられる）。第２表紙部１３は、短手方向（図３における左右方向）の辺（以下「第２表紙部１３の短辺」という。）と、長手方向（図３における上下方向）の辺（以下「第２表紙部１３の長辺」という。）と、を備える矩形状である。
【００３２】
第２表紙部１３は、裏表紙あるいは表表紙である。すなわち、例えば、本ファイル１が左開きの場合、第２表紙部１３は裏表紙である。本ファイル１が右開きの場合、第２表紙部１３は表表紙である。つまり、第２表紙部１３は、第１表紙部１２と表裏である。第２表紙部１３は、第２表紙被覆部１３１を備える。
【００３３】
第２表紙被覆部１３１は、第２表紙部１３の表面の一部を覆う。「第２表紙部１３の表面」は、本ファイル１を閉じたときに外側になる面である。第２表紙被覆部１３１は、短手方向（図３における左右方向）の辺（以下「第２表紙被覆部１３１の短辺」という。）と、長手方向（図３における上下方向）の辺（以下「第２表紙被覆部１３１の長辺」という。）と、を備える矩形状である。第２表紙被覆部１３１の短辺の長さは、第２表紙部１３の短辺の長さよりも短い。なお、本考案における第２表紙被覆部は、第２表紙部の表面の全部を覆ってもよい。
【００３４】
第２表紙被覆部１３１の短辺は、第２表紙部１３の短辺に固定される。第２表紙被覆部１３１の長辺のうち左側の長辺（背表紙部１１側とは反対側の長辺）は、第２表紙部１３の長辺のうち左側の長辺（背表紙部１１側とは反対側の長辺）に固定される。第２表紙被覆部１３１の長辺のうち右側の長辺（背表紙部１１側の長辺）は、第２表紙部１３の表面に非固定である。第２表紙被覆部１３１の短辺は、第１表紙被覆部１２１の短辺よりも短い。第２表紙被覆部１３１の長辺の長さは、第１表紙被覆部１２１の長辺の長さと同じである。
【００３５】
第２表紙被覆部１３１は、第２表紙部１３の表面と共に、第２表紙挿抜口１３２を構成する。換言すれば、第２表紙部１３は、第２表紙挿抜口１３２を備える。
【００３６】
第２表紙挿抜口１３２は、第２表紙部１３の表面と、第２表紙被覆部１３１と、の隙間である。第２表紙挿抜口１３２を介して、本ファイル１の外装を構成するシートや、緊急時に持ち出せるポーチなどが、第２表紙部１３の表面と第２表紙被覆部１３１との間に挿入または抜き出される。挿抜される。シートやポーチなどは、第２表紙被覆部１３１の長辺のうち右側の長辺、すなわち、第２表紙部１３に対して非固定の辺側から第２表紙挿抜口１３２を介して挿抜される。
【００３７】
図４は、本ファイル１を開いた状態を模式的に示す正面平面図である。
図５，６は、収容袋２０の構成を模式的に示す平面図である。
図４は、本ファイル１を開いた状態を正面から見た模式平面図である。図５は後述される第１収容袋２２の構成を模式的に示し、図６は後述される第２収容袋２３の構成を模式的に示す。
【００３８】
収容袋２０は、情報が記録された記録媒体（不図示）などの収容物を収容する。収容袋２０は、表紙部１０の内部（第１表紙部１２と第２表紙部１３との間）に複数配置される。本ファイル１が備える収容袋２０の数は、例えば、「２０」である。収容袋２０のそれぞれは、挿抜口２１（第１挿抜口２１１，第２挿抜口２１２）と、第１収容袋２２と、第２収容袋２３と、を備える。
【００３９】
「記録媒体」は、例えば、各種の情報が記載された紙、写真・預金通帳・金融機関のカード・保険証書・印鑑（印影）のコピー等である。
【００４０】
挿抜口２１は、記録媒体が挿抜される口である。挿抜口の詳細は、後述される。
【００４１】
第１収容袋２２は、記録媒体を収容する。本ファイル１が備える第１収容袋２２の数は、収容袋２０の数と同数である。すなわち、例えば、第１収容袋２２の数は、「２０」である。第１収容袋２２は、基部シートＳと第１被覆シート２２１とを備える。
【００４２】
なお、第１収容袋２２の数は、「２０」に限定されない。すなわち、例えば、第１収容袋の数は、「１９」以下でもよく、あるいは、「２１」以上でもよい。
【００４３】
基部シートＳは、背表紙部１１に取り付けられる。基部シートＳは、例えば、ポリプロピレンなどの樹脂製である。基部シートＳは、第１表紙部側の面（以下「第１面」という。）と、第２表紙部側の面（以下「第２面」という。）と、で構成される。基部シートＳは、短手方向（図５における左右方向）の辺（以下「基部シートＳの短辺」という。）と、長手方向（図５における上下方向）の辺（以下「基部シートＳの長辺」という。）と、を備える矩形状である。基部シートＳの短手方向（短辺の延びる方向）は、背表紙部１１の長手方向と直交する方向である。基部シートＳの面積は、第１表紙部１２あるいは第２表紙部１３の面積よりも若干小さい。
【００４４】
第１被覆シート２２１は、基部シートＳの第１面の一部を覆う。第１被覆シート２２１は、後述される第２被覆シート２３１と共に袋体を構成する。袋体の構成は、後述される。第１被覆シート２２１は、短手方向（図５における左右方向）の辺（以下「第１被覆シート２２１の短辺」という。）と、長手方向（図５における上下方向）の辺（以下「第１被覆シート２２１の長辺」という。）と、を備える矩形状である。第１被覆シート２２１の短辺の長さは、基部シートＳの短辺の長さよりも短い。換言すれば、基部シートＳの短辺の長さは、第１被覆シート２２１の短辺の長さよりも長い。なお、本考案における第１被覆シートは、基部シートの第１面の全部を覆ってもよい。
【００４５】
第１被覆シート２２１の短辺は、基部シートＳの短辺に固定される。第１被覆シート２２１の長辺のうち右側の長辺（背表紙部１１側とは反対側の長辺）は、基部シートＳの長辺のうち右側の長辺（背表紙部１１側とは反対側の長辺）に非固定である。第１被覆シート２２１の長辺のうち左側の長辺（背表紙部１１側の長辺）は、基部シートＳの第１面に非固定である。
【００４６】
第１被覆シート２２１は、基部シートＳの第１面と共に、第１挿抜口２１１を構成する。換言すれば、第１収容袋２２は、第１挿抜口２１１を備える。
【００４７】
第１挿抜口２１１は、基部シートＳの第１面と、第１被覆シート２２１と、の隙間で構成される。第１挿抜口２１１は、第１収容袋２２における背表紙部１１側に配置される。第１挿抜口２１１は、基部シートＳの上側の短辺から下側の短辺にかけて直線状である。第１挿抜口２１１を介して、記録媒体が基部シートＳの第１面と第１挿抜口との間に挿入または抜き出される。すなわち、記録媒体は、図４における紙面左側から右側に向けて第１挿抜口２１１から挿入され、図４における紙面右側から左側に向けて第１挿抜口２１１から抜き出される。
【００４８】
第２収容袋２３は、記録媒体を収容する。第２収容袋２３は、基部シートＳと第２被覆シート２３１とを備える。すなわち、基部シートＳは、第１収容袋２２と第２収容袋２３とを兼ねる。第２収容袋２３の数は、収容袋２０の数と、第１収容袋２２の数と、同数である。すなわち、例えば、第２収容袋２３の数は、「２０」である。つまり、本ファイル１には、少なくとも「４０」の記録媒体が収容可能である。
【００４９】
第２被覆シート２３１は、基部シートＳの第２面の一部を覆う。前述のとおり、第２被覆シート２３１は、第１被覆シート２２１と共に袋体を構成する。つまり、基部シートＳは、第１収容袋２２と第２収容袋２３との間に配置される。換言すれば、基部シートＳは、袋体の内部に配置される。第２被覆シート２３１は、短手方向（図６における左右方向）の辺（以下「第２被覆シート２３１の短辺」という。）と、長手方向（図６における上下方向）の辺（以下「第２被覆シート２３１の長辺」という。）と、を備える矩形状である。第２被覆シート２３１の短辺の長さは、基部シートＳの短辺の長さよりも短い。換言すれば、基部シートＳの短辺の長さは、第２被覆シート２３１の短辺の長さよりも長い。なお、本考案における第２被覆シートは、基部シートの第２面の全部を覆ってもよい。
【００５０】
第２被覆シート２３１の短辺は、第１被覆シート２２１の短辺に固定される。第２被覆シート２３１の長辺のうち左側の長辺（背表紙部１１側とは反対側の長辺）は、第１被覆シート２２１の長辺のうち右側の長辺に固定される。一方、第２被覆シート２３１の長辺のうち右側の長辺は、第１被覆シート２２１の長辺のうち左側の長辺に非固定である。すなわち、第２被覆シート２３１の３辺と、第１被覆シート２２１の３辺とは、固定されて、第２被覆シート２３１は、第１被覆シート２２１と共に袋体を構成する。
【００５１】
また、第２被覆シート２３１の短辺は、基部シートＳの短辺に固定される。すなわち、第２被覆シート２３１の短辺と、基部シートＳと、第１被覆シート２２１とは、固定される。第２被覆シート２３１の長辺のうち左側の長辺は、基部シートＳの長辺のうち左側の長辺（背表紙部１１側とは反対側の長辺）に非固定である。第２被覆シート２３１の長辺のうち右側の長辺（背表紙部１１側の長辺）は、基部シートＳの第２面に非固定である。
【００５２】
第２被覆シート２３１は、基部シートＳの第２面と共に、第２挿抜口２１２を構成する。換言すれば、第２収容袋２３は、第２挿抜口２１２を備える。
【００５３】
第２挿抜口２１２は、基部シートＳの第２面と、第２被覆シート２３１と、の隙間で構成される。第２挿抜口２１２は、第２収容袋２３における背表紙部１１側に配置される。第２挿抜口２１２は、基部シートＳの上側の短辺から下側の短辺にかけて直線状である。第２挿抜口２１２を介して、記録媒体が基部シートＳの第２面と第２被覆シート２３１との間に挿入または抜き出される。すなわち、記録媒体は、図４における紙面右側から左側に向けて第２挿抜口２１２から挿入され、図４における紙面左側から右側に向けて第２挿抜口２１２から抜き出される。
【００５４】
図７，８は、本ファイル１の使用例を模式的に示す平面図である。
【００５５】
図７は、本ファイル１が閉じられた状態から第１表紙部１２が開かれた状態を示す。同図に示す矢印は、収容袋２０の捲る方向を示す。図８は、収容袋２０を図７に示す状態から、図８に示す状態に捲る様子を示す。同図に示す破線は、捲る前の収容袋２０を示す。
【００５６】
先ず、第１表紙部１２を開いたとき、収容袋２０は、図７に示されるように、第２表紙部１３側（図７における紙面右側）に位置する。このとき、第１収容袋２２が表面側（図７における紙面手前側）に位置する。
【００５７】
使用者は、記録媒体を、第１挿抜口２１１から挿入して、第１収容袋２２に収容する。前述のとおり、第１挿抜口２１１は、背表紙部１１側に位置する。すなわち、本ファイル１が閉じられたとき、第１挿抜口２１１は、背表紙部１１側に位置する。第１収容袋２２に収容された記録媒体は、背表紙部１１があるため、第１収容袋２２から抜け落ちにくい。
【００５８】
次いで、収容袋２０を図７に示す矢印の方向に捲ると、収容袋２０は、図８に示されるように、第１表紙部１２側（図８における紙面左側）に移動する。このとき、第２収容袋２３が表面側（図７における紙面手前側）に位置する。前述のとおり、第２挿抜口２１２は、背表紙部１１側に位置する。
【００５９】
使用者は、記録媒体を、第２挿抜口２１２から挿入して、第２収容袋２３に収容する。前述のとおり、第２挿抜口２１２は、背表紙部１１側に位置する。すなわち、本ファイル１が閉じられたとき、第２挿抜口２１２は、背表紙部１１側に位置する。第２収容袋２３に収容された記録媒体は、背表紙部１１があるため、第２収容袋２３から抜け落ちにくい。
【００６０】
●まとめ
以上説明された実施の形態によれば、収容袋２０は、挿抜口２１を備える。挿抜口２１は、収容袋２０の背表紙部１１側に配置される。すなわち、第１挿抜口２１１は第１収容袋２２の背表紙部１１側に配置され、第２挿抜口２１２は第２収容袋２３の背表紙部１１側に配置される。つまり、本ファイル１が閉じられたとき、挿抜口２１（第１挿抜口２１１，第２挿抜口２１２）は、背表紙部１１側に位置する。収容袋２０（第１収容袋２２，第２収容袋２３）に収容された記録媒体は、背表紙部１１があるため、収容袋２０（第１収容袋２２，第２収容袋２３）から抜け落ちにくい。そのため、本ファイル１に収容された収容物の本ファイル１からの抜け落ちは、抑制される。
【００６１】
また、以上説明された実施の形態によれば、基部シートＳの短辺の長さは、第１被覆シート２２１の短辺の長さよりも長い。すなわち、第１挿抜口２１１は、基部シートＳの第１面上に位置する。同様に、基部シートＳの短辺の長さは、第２被覆シート２３１の短辺の長さよりも長い。すなわち、第２挿抜口２１２は、基部シートＳの第２面上に位置する。そのため、記録媒体などの収容物は、第１挿抜口２１１および第２挿抜口２１２から挿抜しやすい。
【００６２】
なお、以上説明された実施の形態よれば、収容袋２０を構成する第１被覆シート２２１は、矩形状である。そのため、第１挿抜口２１１は、直線状である。これに代えて、第１被覆シートは、第１挿抜口を構成する辺を非直線にする挿抜容易部を備えてもよい。すなわち、収容袋は、挿抜容易部を備えてもよい。
【００６３】
図９は、挿抜容易部の例を模式的に示す平面図である。
同図は、収容袋が備える第１収容袋の例を示し、収容袋が備える第２収容袋の例は、第１収容袋の例と共通するため、省略する。
【００６４】
以下の説明において、先に説明された構成部材と同じ名称の構成部材は、先に説明された構成と機能と共通する。そのため、以下の説明において、先に説明された構成と異なる構成が中心に説明される。
【００６５】
第１収容袋２２ａは、基部シートＳａと、第１被覆シート２２１ａと、挿抜容易部２２２ａと、を備える。すなわち、収容袋２０ａは、挿抜容易部２２２ａを備える。
【００６６】
挿抜容易部２２２ａは、第１挿抜口２１１ａ（挿抜口２１ａ）における記録媒体の挿抜を容易にする。挿抜容易部２２２ａは、第１挿抜口２１１ａの上下方向（図９における紙面上下方向）のそれぞれの端部を、第１被覆シート２２１ａの短辺（図９の紙面左右方向の辺）に向けて一部を切り欠いた部分である。すなわち、挿抜容易部２２２ａは、第１被覆シート２２１ａの一部をテーパ状に切り欠いた部分である。換言すれば、第１挿抜口２１１ａは、非直線である。
【００６７】
記録媒体が紙の場合、第１収容袋２２ａ（収容袋２０ａ）に収容された記録媒体の一部は、挿抜容易部２２２ａにより、第１収容袋２２ａ（収容袋２０ａ）の外部に露出する。このため、第１挿抜口２１１ａにおける記録媒体の挿抜が容易になる。
【００６８】
第１被覆シート２２１ａの一部が切り欠かれて挿抜容易部２２２ａが構成されることにより、第１被覆シート２２１ａのうち、基部シートＳａに対向して配置される部分（図９における第１被覆シート２２１ａのうち、破線より左側の部分）は、基部シートＳａから離反する。すなわち、挿抜容易部２２２ａは、基部シートＳａに対向して配置される第１被覆シート２２１ａの一部を、基部シートＳａから離反させる。
【００６９】
図１０は、挿抜容易部の他の例を模式的に示す平面図である。
同図は、収容袋が備える第１収容袋の例を示し、収容袋が備える第２収容袋の例は、第１収容袋の例と共通するため、図示を省略する。
【００７０】
第１収容袋２２ｂは、基部シートＳｂと、第１被覆シート２２１ｂと、挿抜容易部２２２ｂと、を備える。すなわち、収容袋２０ｂは、挿抜容易部２２２ｂを備える。
【００７１】
挿抜容易部２２２ｂは、第１挿抜口２１１ｂ（挿抜口２１ｂ）における記録媒体の挿抜を容易にする。挿抜容易部２２２ｂは、第１挿抜口２１１ｂの途中箇所を、曲線状に切り欠いた部分である。すなわち、挿抜容易部２２２ｂは、第１被覆シート２２１ｂの一部を曲線状に切り欠いた部分である。
【００７２】
記録媒体が紙の場合、第１収容袋２２ｂ（収容袋２０ｂ）に収容された記録媒体の一部は、挿抜容易部２２２ｂにより、第１収容袋２２ｂ（収容袋２０ｂ）の外部に露出する。このため、第１挿抜口２１１ｂにおける記録媒体の挿抜が容易になる。
【００７３】
さらにまた、第１収容袋は、図９に示される挿抜容易部２２２ａと、図１０に示される挿抜容易部２２２ｂと、を備えた挿抜容易部（不図示）を備えてもよい。
【００７４】
また、以上説明された実施の形態によれば、収容袋２０は、１枚の基部シートＳが共用されて構成される第１収容袋２２と第２収容袋２３とを含む構成である。第１収容袋２２を構成する第１挿抜口２１１は、基部シートＳの第１面と、第１被覆シート２２１の一の長辺とが非固定である。第２収容袋２３を構成する第２挿抜口２１２は、基部シートＳの第２面と、第２被覆シート２３１の一の長辺とが非固定である。これに代えて、収容袋は、収容袋に収容された記録媒体がより抜け落ちにくくする特別収容袋を備えてもよい。
【００７５】
図１１は、特別収容袋の例を模式的に示す平面図である。
【００７６】
以下の説明において、先に説明された構成部材と同じ名称の構成部材は、先に説明された構成と機能と共通する。そのため、以下の説明において、先に説明された構成と異なる構成が中心に説明される。
【００７７】
収容袋２０ｃは、特別収容袋２４ｃを備える。特別収容袋２４ｃは、記録媒体を収容する。特別収容袋２４ｃは、短辺（図１１における紙面左右方向の辺）と長辺（図１１における紙面上下方向の辺）とを備える矩形状である。特別収容袋２４ｃの長辺のうち、一辺が背表紙部１１ｃに取り付けられる。特別収容袋２４ｃは、例えば、複数の収容袋のうち、最も後ろに配置される。すなわち、特別収容袋２４ｃは、第２表紙部１３ｃに隣接する。特別収容袋２４ｃは、特別挿抜口２４１ｃと抜落規制部２４２ｃとを備える。
【００７８】
特別挿抜口２４１ｃを介して、記録媒体が特別収容袋２４ｃに挿抜される。特別挿抜口２４１ｃは、特別収容袋２４ｃの長辺のうち、先の一辺に対向する他辺に配置される。換言すれば、特別挿抜口２４１ｃは、先の一辺とは異なる辺に配置される。つまり、特別挿抜口２４１ｃは、背表紙部１１側とは別の位置に配置される。
【００７９】
なお、特別挿抜口は、先の一辺に隣接する他辺、すなわち、特別収容袋の短辺に配置されてもよい。
【００８０】
抜落規制部２４２ｃは、特別収容袋２４ｃに収容された記録媒体が特別挿抜口２４１ｃから抜け落ちるのを規制する。抜落規制部２４２ｃは、例えば、レールファスナーである。すなわち、例えば、抜落規制部２４２ｃは、レールファスナーのスライダ部２４３ｃが図１１における紙面上下方向にスライドされることにより、特別挿抜口２４１ｃを開閉する。
【００８１】
なお、特別収容袋は、複数の収容袋のうち、最も前に配置されてもよい。すなわち、特別収容袋は、第１表紙部に隣接する。
【００８２】
また、特別収容袋は、マチ（不図示）付きの厚みを備える袋でもよい。マチ付きの特別収容袋は、厚みのある預金通帳や印鑑などを収容できる。
【００８３】
さらにまた、抜落規制部は、面ファスナーでもよく、蓋部を備えた構成でもよい。
【００８４】
図１２は、特別収容袋の他の例を模式的に示す平面図である。
同図は、抜落規制部が蓋部を備えた構成を示す。
【００８５】
収容袋２０ｄは、特別収容袋２４ｄを備える。特別収容袋２４ｄは、短辺（図１２における紙面左右方向の辺）と長辺（図１２における紙面上下方向の辺）とを備える矩形状である。特別収容袋２４ｄは、特別挿抜口２４１ｄと、抜落規制部２４２ｄと、溝部２４４ｄと、を備える。
【００８６】
特別挿抜口２４１ｄを介して、記録媒体が特別収容袋２４ｄに挿抜される。特別挿抜口２４１ｄは、例えば、特別収容袋２４ｄの長辺のうち、先の一辺に対向する他辺に配置される。
【００８７】
なお、特別挿抜口は、先の一辺に隣接する他辺、すなわち、特別収容袋の短辺に配置されてもよい。
【００８８】
抜落規制部２４２ｄは、蓋部２４５ｄと、舌部２４６ｄと、を備える。
【００８９】
溝部２４４ｄは、蓋部２４５ｄが閉じたとき、舌部２４６ｄと係合する。溝部２４４ｄは、特別収容袋２４ｄに形成された切り欠きである。
【００９０】
蓋部２４５ｄが閉じたとき、蓋部２４５ｄは特別挿抜口２４１ｄを覆う。
【００９１】
舌部２４６ｄは、蓋部２４５ｄに形成される。舌部２４６ｄは、蓋部２４５ｄが閉じたとき、溝部２４４ｄに係合する。
【００９２】
抜落規制部２４２ｄは、蓋部２４５ｄが閉じて、舌部２４６ｄが溝部２４４ｄに係合されることで、特別収容袋２４ｄに収容された記録媒体が特別挿抜口２４１ｄから抜け落ちるのを規制する。
【００９３】
なお、特別収容袋は、複数の収容袋のうち、最も前に配置されてもよい。すなわち、特別収容袋は、第１表紙部に隣接する。
【００９４】
また、特別収容袋は、マチ（不図示）付きの厚みを備える袋でもよい。マチ付きの特別収容袋は、厚みのある預金通帳や印鑑などを収容できる。
【００９５】
さらにまた、以上説明された実施の形態によれば、複数の収容袋２０（複数の第１収容袋２２，複数の第２収容袋２３）には、記録媒体が収容される順番や記録媒体の種類など、使用者の任意である。これに代えて、収容袋に収容される記録媒体の順番や種類などが予め決められていてもよい。すなわち、例えば、収容袋は、記録媒体に対応する識別標識を備える。
【００９６】
「識別標識」は、例えば、数字、記号、あるいは、数字などが記載可能なシールなどである。
【００９７】
識別標識は、収容袋に予め（例えば、製造時）付される。これに対応して、記録媒体にも、収容袋に付された識別標識に対応する識別標識が予め付される。すなわち、例えば、収容袋には、「１」，「２」，・・・などの個別の数字が付される。同様に、記録媒体には、「１」，「２」，・・・などの個別の数字が付される。これにより、使用者は、収容袋の「１」には「１」が付された記録媒体を収容し、収容袋の「２」には「２」が付された記録媒体を収容する。このため、本考案に係るエンディングノート用ファイルを誰が作成しても、同じ順番で所定の記録媒体が収容される。その結果、周囲の人の視認性が向上し、周囲の人は、使用者の思いを汲み取りやすくなる。
【００９８】
また、例えば、複数の収納袋を複数のブロックに分けて、第１ブロックには「●」の記号、第２ブロックには「▲」の記号などが付される。同様に、記録媒体には、情報ごとに記号が付される。すなわち、交友関係に関する記録媒体については「●」の記号、健康状態に関する記録媒体については「▲」の記号などが付される。これにより、使用者は、収容袋の「●」には「●」が付された記録媒体を収容し、収容袋の「▲」には「▲」が付された記録媒体を収容する。このため、本考案に係るエンディングノート用ファイルを誰が作成しても、情報ごと（ブロックごと）に記録媒体が収容される。その結果、周囲の人の視認性が向上し、周囲の人は、使用者の思いを汲み取りやすくなる。
【００９９】
なお、これらの識別標識は、本考案に係るエンディングノート用ファイルの製造後や購入後に後から付されてもよい。すなわち、例えば、収容袋にシールが貼られる。これに対応して、記録媒体にも、収容袋に付されたシール（識別標識）に対応するシール（識別標識）が貼られる。すなわち、例えば、収容袋には、「交友関係」、「健康状態」などのシールが貼られる。同様に、記録媒体には、「交友関係」、「健康状態」などのシールが貼られる。これにより、使用者は、収容袋の「交友関係」には「交友関係」のシールが貼られた記録媒体を収容し、収容袋の「健康状態」には「健康状態」のシールが貼られた記録媒体を収容する。このため、本考案に係るエンディングノート用ファイルを誰が作成しても、同じ順番で所定の記録媒体が収容される。その結果、周囲の人の視認性が向上し、周囲の人は、使用者の思いを汲み取りやすくなる。なお、シールに記載される「交友関係」・「健康状態」などの情報は、当初より記載されていてもよく、使用者により後から目的に合わせて記載されてもよい。
【符号の説明】
【０１００】
１              エンディングノート用ファイル
１０            表紙部
１１            背表紙部
１１ｃ          背表紙部
１２            第１表紙部
１２１          第１表紙被覆部
１２２          第１表紙挿抜口
１３            第２表紙部
１３ｃ          第２表紙部
１３１          第２表紙被覆部
１３２          第２表紙挿抜口
２０            収容袋
２０ａ−２０ｄ  収容袋
２１            挿抜口
２１ａ          挿抜口
２１ｂ          挿抜口
２１１          第１挿抜口
２１１ａ        第１挿抜口
２１１ｂ        第１挿抜口
２１２          第２挿抜口
２２            第１収容袋
２２ａ          第１収容袋
２２ｂ          第１収容袋
２２１          第１被覆シート
２２１ａ        第１被覆シート
２２１ｂ        第１被覆シート
２２２ａ        挿抜容易部
２２２ｂ        挿抜容易部
２３            第２収容袋
２３１          第２被覆シート
２４ｃ          特別収容袋
２４ｄ          特別収容袋
２４１ｃ        特別挿抜口
２４１ｄ        特別挿抜口
２４２ｃ        抜落規制部
２４２ｄ        抜落規制部
２４３ｃ        スライダ部
２４４ｄ        溝部
２４５ｄ        蓋部
２４６ｄ        舌部
Ｓ              基部シート
Ｓａ            基部シート
Ｓｂ            基部シート
【図１】
0003230628.tif 000003
【図２】
0003230628.tif 000004
【図３】
0003230628.tif 000005
【図４】
0003230628.tif 000006
【図５】
0003230628.tif 000007
【図６】
0003230628.tif 000008
【図７】
0003230628.tif 000009
【図８】
0003230628.tif 000010
【図９】
0003230628.tif 000011
【図１０】
0003230628.tif 000012
【図１１】
0003230628.tif 000013
【図１２】
0003230628.tif 000014